(57)【要約】      （修正有）【課題】空燃比検出値の変化前の絶対値を考慮して空燃比センサの応答性を補正し、空燃比の検出精度を向上させる内燃機関の制御装置を提供する。【解決手段】内燃機関の空燃比を検出する空燃比検出手段と、空燃比検出手段の検出部に存在する水素濃度を推定する水素濃度推定手段と、推定された水素濃度に基づいて空燃比検出手段の応答性を補正する応答性補正手段と、応答性補正手段による応答性の補正量に応じて検出された空燃比を補正する空燃比補正手段とを備える【選択図】図５
2011247093.tif 000002
【特許請求の範囲】
【請求項１】
内燃機関の制御装置であって、
内燃機関の空燃比を検出する空燃比検出手段と、
前記空燃比検出手段の検出部に存在する水素濃度を推定する水素濃度推定手段と、
推定された水素濃度に基づいて前記空燃比検出手段の応答性を補正する応答性補正手段と、
前記応答性補正手段による応答性の補正量に応じて検出された空燃比を補正する空燃比補正手段と、を備える内燃機関の制御装置。
【請求項２】
前記水素濃度推定手段は、前記検出された空燃比と前記内燃機関の燃料成分とから水素濃度を推定する、請求項１に記載の制御装置。
【請求項３】
前記応答性補正手段は、空燃比がリッチ方向へ変化する場合と、リーン方向へ変化する場合とで前記応答性の補正特性を異ならせる、請求項１または２に記載の内燃機関の制御装置。
【発明の詳細な説明】
【技術分野】
【０００１】
本発明は、内燃機関の制御装置に関し、特に内燃機関の空燃比検出手段の応答性の補正に関する。
【背景技術】
【０００２】
従来から、内燃機関の排気管に設けられた空燃比センサによる検出空燃比が目標値で安定するように空燃比フィードバック制御が実施されている。この空燃比制御において、空燃比センサにより空燃比が精度良く検出されないと、空燃比を精度良く変動制御させることができないという問題が生じる。
【０００３】
また、空燃比を強制変動させない場合であっても、空燃比がリッチ側に変化する時の応答性とリーン側に変化する時の応答性とに差異が生じると、空燃比の制御性が低下するという問題が生じる。
【０００４】
特許文献１は、内燃機関の空燃比検出装置を開示する。この装置では、空燃比検出値のリッチ側、リーン側への変化量データと、空燃比補正量のリッチ側、リーン側への変化量データとに基づいて、リッチ側への変化時、リーン側への変化時のそれぞれについて空燃比センサの応答性データを算出し、その算出された応答性データを用いて空燃比検出値を補正する。
【先行技術文献】
【特許文献】
【０００５】
【特許文献１】特許第４１９６７９４号公報
【発明の概要】
【発明が解決しようとする課題】
【０００６】
空燃比センサの応答性は、空燃比検出値の変化量のみならず変化前の絶対値にも影響を受ける。しかし、特許文献１に記載の発明では、空燃比検出値の変化量により空燃比センサの応答性を補正しており、空燃比検出値の変化前の絶対値を考慮した補正をおこなってはいない。
【０００７】
そこで、本発明は、空燃比検出値の変化前の絶対値を考慮して空燃比センサの応答性を補正し、空燃比の検出精度を向上させることを目的とする。
【課題を解決するための手段】
【０００８】
本発明は、内燃機関の空燃比を検出する空燃比検出手段と、空燃比検出手段の検出部に存在する水素濃度を推定する水素濃度推定手段と、推定された水素濃度に基づいて空燃比検出手段の応答性を補正する応答性補正手段と、応答性補正手段による応答性の補正量に応じて検出された空燃比を補正する空燃比補正手段と、を備える内燃機関の制御装置を提供する。
【０００９】
本発明によれば、空燃比検出手段の検出部に存在する水素濃度に基づき適宜空燃比検出手段の応答性を改善（補正）することができるので、空燃比検出手段による空燃比の検出精度を向上させることができる。
【００１０】
本発明の一形態によると、水素濃度推定手段は、検出された空燃比と内燃機関の燃料成分とから水素濃度を推定する。
【００１１】
本発明の一形態によれば、検出された空燃比と内燃機関の燃料成分とから水素濃度を推定するため、新たなセンサを用いることなく、コストを抑えることができる。
【００１２】
本発明の一形態によると、応答性補正手段は、空燃比がリッチ方向へ変化する場合と、リーン方向へ変化する場合とで前記応答性の補正特性を異ならせる。
【００１３】
本発明の一形態によれば、リッチ方向へ変化する場合と、リーン方向へ変化する場合とで、空燃比検出手段の検出部での反応に応じた補正を行うことにより、より空燃比の検出精度を向上させることが可能となる。
【図面の簡単な説明】
【００１４】
【図１】本発明の一実施形態に従う、エンジンおよびその制御装置の全体的な構成を示す図である。
【図２】本発明の一実施形態に従う、可変動弁機構を示す図である。
【図３】リーン、リッチ間での空燃比の制御例を示す図である。
【図４】図３の各空燃比の制御例に対応した空燃比センサの応答性を示す図である。
【図５】本発明の一実施形態に従う、制御装置のブロック図である。
【図６】本発明の一実施形態に従う、制御フローの一例を示す図である。
【図７】本発明の一実施形態に従う、空燃比センサの出力値と空燃比との関係を示す図である。
【図８】本発明の一実施形態に従う、空燃比センサの応答性の改善（補正）を示す図である。
【図９】本発明の一実施形態に従う、水素ガス濃度推定マップの一例を示す図である。
【発明を実施するための最良の形態】
【００１５】
図面を参照しながら本発明の実施の形態について説明する。図１は、本発明の一実施形態に従う、内燃機関（以下、エンジンと呼ぶ）およびその制御装置の全体的な構成図である。
【００１６】
電子制御ユニット（以下、「ＥＣＵ」）という）１は、中央演算処理装置（ＣＰＵ）およびメモリを備えるコンピュータである。メモリには、車両の様々な制御を実現するためのコンピュータ・プログラムおよび該プログラムの実施に必要なデータ（マップを含む）を格納することができる。ＥＣＵ１は、車両の各部から信号を受取ると共に、該メモリに記憶されたデータおよびプログラムに従って演算を行い、車両の各部を制御するための制御信号を生成する。
【００１７】
エンジン２は、複数の気筒（例えば４気筒）を有するエンジンである。エンジン２には、吸気通路３および排気通路４が連結されている。
【００１８】
エンジン２には、連続可変動弁機構３１が設けられており、この実施形態では、可変リフト機構および可変位相機構を含む。可変リフト機構は、ＥＣＵ１からの制御信号に従って、各気筒の吸気バルブのリフト量を連続的に変更することができる機構である。可変リフト機構の一例は、後述される。可変位相機構は、ＥＣＵ１からの制御信号に従って、各気筒の吸気バルブの位相を連続的に変更することができる機構である。可変位相機構３３は、任意の既知の手法により実現することができる。たとえば、電磁的に吸気バルブの位相を進角または遅角に制御する手法が提案されている（例えば、特開２０００―２２７０３３号を参照）。
【００１９】
連続可変動弁機構３１には、各気筒の吸気バルブのリフト量を検出するためのセンサ３２が設けられており、該センサ３２の検出結果は、ＥＣＵ１に送られる。
【００２０】
なお、この実施形態では、リフト量および位相を連続的に変更可能なようになっているが、これに限定されるものではなく、リフト量および位相を段階的（ステップ状）に変更可能な機構にも、本願発明は適用可能である。
【００２１】
吸気通路３には、スロットル弁５が設けられている。スロットル弁５の開度は、ＥＣＵ１からの制御信号に従って制御される。スロットル弁５には、スロットル弁の開度を検出するスロットル弁開度（θＴＨ）センサ６が連結されており、この検出値は、ＥＣＵ１に送られる。
【００２２】
この実施形態では、エンジン２の各気筒への吸入空気量は、スロットル弁５の開度を制御することだけでなく、連続可変動弁機構３１を介して各気筒の吸気バルブのリフト量を制御することによって実現される。
【００２３】
燃料噴射弁７が、エンジン２とスロットル弁５との間であって、エンジン２の吸気バルブ（図示せず）の少し上流側に、気筒ごとに設けられている。燃料噴射弁７は、燃料タンク２９に接続されており、燃料タンク２９からの燃料を噴射する。燃料噴射弁７の燃料噴射時期および燃料噴射量は、ＥＣＵ１からの制御信号に従って変更される。
【００２４】
スロットル弁５の上流には、吸気通路３を流れる空気の量を検出するエアフローメータ（ＡＦＭ）８が設けられている。
【００２５】
スロットル弁５の下流には、絶対圧（ＰＢ）センサ９が設けられており、吸気通路３内の圧力ＰＢを検出する。また、絶対圧センサ１０の下流には吸気温（ＴＡ）センサ１０が設けられており、吸気通路３内の温度を検出する。これらの検出値は、ＥＣＵ１に送られる。また、エンジン２には、エンジンの水温ＴＷを検出するためのエンジン水温センサ１１が設けられており、該センサの検出値は、ＥＣＵ１に送られる。さらに、大気圧ＰＡを検出するための大気圧センサ１２がエンジン外部の任意の位置に設置されており、該センサの検出値はＥＣＵ１に送られる。
【００２６】
ＥＣＵ１には、エンジン２のクランク軸の回転角度を検出するクランク角センサ１３が接続されており、該センサの検出値はＥＣＵ１に供給される。クランク角センサ１３は、所定のクランク角度（たとえば３０度）毎に１パルス（ＣＲＫパルス）を発生し、該パルスにより、クランク軸の回転角度位置を特定することができる。ＥＣＵ１は、該ＣＲＫパルスに基づいてエンジン回転数ＮＥを算出する。また、クランク角センサ１３は、ピストンの上死点（ＴＤＣ）位置に関連したクランク角度で、ＴＤＣ信号をＥＣＵ１に出力する。
【００２７】
燃料噴射弁７からの燃料および吸気通路３からの空気の混合気がエンジン２の各気筒内で燃焼した結果、各気筒からの排気ガスが排気通路４に流出される。排気通路４には、たとえば種々の触媒によって実現されることのできる触媒装置（ＣＡＴ）１５が設けられており、該排気通路に流出される排気ガスを浄化して、大気に放出する。
【００２８】
触媒装置１５の上流には、排気ガスの空燃比を検出するための空燃比（ＬＡＦ）センサ１６が設けられている。空燃比センサ１６は、混合気のリーンからリッチにわたる領域の空燃比をリニアに検出してＥＣＵ１に送る。この実施例では、空燃比センサ１６は酸素検出部を有し、１つの酸素センサとして機能する。
【００２９】
触媒装置１５内には、排ガスセンサ１７が設けられている。排ガスセンサ１７は、２値型の排気ガス濃度センサである。排ガスセンサ１７は、排気ガスの空燃比が理論空燃比よりもリッチであるとき高レベルの信号を出力し、空燃比が理論空燃比よりもリーンであるとき低レベルの信号を出力する。出力された信号は、ＥＣＵ１に送られる。代替的に、排ガスセンサ１７を、触媒装置１５の下流に配置してもよい。
【００３０】
ＥＣＵ１は、上記各種センサからの入力信号に応じて、メモリに記憶されたプログラムおよびデータ（マップを含む）に従い、エンジン２の運転状態を検出すると共に、スロットル弁５、燃料噴射弁７、ＥＧＲ弁１９およびパージ制御弁２８等を制御するための制御信号を生成する。
【００３１】
図２は、図１の可変動弁機構３１に搭載される可変リフト機構の一例を説明するための図である。可変リフト機構は、（ａ）に示すように、カム６２が設けられたカムシャフト６１と、カムホルダに支持部６５ａを中心として揺動可能に支持されるコントロールアーム６５と、コントロールアーム６５を揺動させるコントロールカム６７が設けられた制御軸（コントロールシャフト）６６と、コントロールアーム６５にサブカムシャフト６３ｂを介して揺動可能に支持されると共に、カム６２に従動して揺動するサブカム６３と、サブカム６３に従動し、吸気バルブ１４を駆動するロッカーアーム６４とを備えている。ロッカーアーム６４は、コントロールアーム６５内に、ロッカーシャフト６８によって揺動可能に支持されている。
【００３２】
サブカム６３は、カム６２に当接するローラ６３ａを有し、カムシャフト６１の回転により、サブカムシャフト６３ｂを中心として揺動する。ロッカーアーム６４は、サブカム６３に当接するローラ６４ａを有し、サブカム６３の動きが、ローラ６４ａを介して、ロッカーアーム６４に伝達される。コントロールアーム６５は、コントロールカム６７に当接するローラ６５ｂを有し、制御軸６６の回転により、支持部６５aを中心として揺動する。
【００３３】
（ａ）、（ｂ）および（ｃ）は、矢印で示されているように、吸気バルブ１４の高リフト状態、中リフト状態、低リフト状態をそれぞれ示している。制御軸６６を介してコントロールアーム６５の位置を変化させることにより、（ａ）のような高リフト状態と、（ｃ）のような低リフト状態の間を連続的に遷移させることができる。（ａ）に示す状態では、サブカム６３の動きがロッカーアーム６４を介して吸気バルブ１４に伝達され、吸気バルブ１４は、最大のリフト量で開弁する。（ｂ）に示す状態では、サブカム６３の動きの、ロッカーアーム６４を介した吸気バルブ１４への伝達量は、（ａ）よりも少なく、よって（ａ）よりも小さいリフト量で開弁する。（ｃ）に示す状態では、サブカム６３の動きはロッカーアーム６４にほとんど伝達されないため、吸気バルブ１４は低リフト状態となる。
【００３４】
制御軸６６には、アクチュエータのモータ（図示せず）が接続されており、該モータによって制御軸６６を回転させることにより、吸気弁１４のリフト量を連続的に変更して、燃焼室内（気筒内）への吸入空気量を連続的に変更することができる。この実施形態では、前述したリフト量を検出するセンサ３２（図１）は、制御軸６６の回転角度位置を検出するよう設けられている。検出された制御軸６６の回転角度位置ＣＳＡが、リフト量を示すパラメータとして使用される。
【００３５】
次に、図３と図４を参照しながら、本発明の解決課題に関する発明者の知見および本発明の特徴（ねらい）についてその概要を最初に説明する。図３は、リーン、リッチ間での空燃比の制御例を示した図である。図４は、図３の各空燃比の制御例に対応した空燃比センサ１６の応答性を示した図である。
【００３６】
図３の符号（Ａ）、（Ｂ）で示されるグラフは、いずれもリーン側への空燃比制御を示している。符号（Ａ）のグラフは空燃比１５から１７への制御、すなわち理論空燃比（１４．７）よりリーンな領域内においてさらにリーン側への変化を示している。符号（Ｂ）のグラフは、空燃比１３から１５への制御、すなわち理論空燃比を跨いだリッチからリーン側への空燃比変化を示している。逆に符号（Ｃ）と（Ｄ）は、いずれもリッチ側への空燃比制御を示している。符号（Ｃ）のグラフは空燃比１７から１５への制御、すなわち理論空燃比よりリーンな領域内においてリーンからリッチ側への変化を示している。符号（Ｄ）のグラフは空燃比１５から１３への制御、すなわち理論空燃比を跨いだリーンからリッチ側への変化を示している。
【００３７】
図４の４つのグラフ（Ａ）〜（Ｄ）は、それぞれ同じ符号の図３の空燃比制御に対応している。図４の（Ａ）と（Ｂ）とは、いずれもリーン側へ変化量２だけ空燃比を変化させる場合に対応しているが、空燃比センサ１６の応答性は、（Ａ）よりも（Ｂ）の場合のほうが遅くなっており、両者に明らかな差が出ている。一方、図４の（Ｃ）と（Ｄ）とは、いずれもリッチ側へ変化量２だけ空燃比を変化させる場合であるが、空燃比センサ１６の応答性にはほとんど差が無く、強いて言えば若干（Ｄ）のほうが遅くなっている。
【００３８】
図４に示されるような空燃比センサ１６の応答性の違いは、本発明者の知見によれば、以下のようなメカニズムで生じていると考えられる。図３の（Ｂ）のケースのように、最初に理論空燃比よりリッチな領域内において、リッチガスが空燃比センサ１６の酸素（Ｏ２）検出部に接触している場合、リッチガス中に含まれる水素（Ｈ２）が酸素検出部に付着する。次に、同じく図３の（Ｂ）のケースのように、リーンガスが流れてきた際に、既に検出部に付着した水素がリーンガス中の酸素と式（１）で示される化学反応を起こして酸素を消費してしまうため、リーンガス中の酸素の検出反応が遅くなってしまう。
２Ｈ２＋Ｏ２ → ２Ｈ２Ｏ        （１）
その結果、図４の（Ｂ）のグラフで示されるような応答遅れが生ずる。そして、最終的に酸素検出部に付着している水素が取り除かれると、その検出遅れが無い安定したリーン状態での検出が可能となる。なお、検出部に水素が付着して酸素分圧が変化することによって酸素の検出反応が遅くなる影響もある。
【００３９】
一方、図３の（Ａ）、（Ｃ）、（Ｄ）のケースのように、最初に理論空燃比よりリーンな領域内において、リーンガスが空燃比センサ１６の酸素検出部に接触している場合は、酸素検出部に水素がほとんど付着しないので、式（１）の酸素との化学反応が起こらず、酸素の検出反応はほとんど遅れることが無い。したがって、図４の（Ａ）、（Ｃ）、（Ｄ）のグラフで示されるように、いずれの場合も応答時間の遅れがほとんどない状態となる。このように、本発明では特に理論空燃比よりリッチな領域内での、あるいは理論空燃比を跨いでのリッチ側からリーン側への空燃比シフトにおける空燃比センサ１６の応答性の遅れを識別して、その遅れ補正しいては空燃比補正をおこなうことに特徴がある。
【００４０】
図５は、本発明の一実施形態に従う、内燃機関の制御装置のブロック図である。図５に表される各機能は、ＥＣＵ１において実現される。空燃比検出部１０１は、空燃比センサ１６からの検出信号を受けて空燃比を検出する。水素濃度推定部１０２は、空燃比センサ１６の酸素検出部に存在する水素濃度を推定する。その際、水素濃度推定部１０２は、検出された空燃比と内燃機関の燃料成分とから水素濃度を推定する。
【００４１】
センサ応答性補正部１０３は、推定された水素濃度に基づいて空燃比検出部１０１（空燃比センサ１６）の応答性を補正する。その際、センサ応答性補正部１０３は、空燃比がリッチ方向へ変化する場合と、リーン方向へ変化する場合とで応答性の補正特性を異ならせる。例えば、図３と図４を参照しながら説明したように、理論空燃比よりリッチな領域内での、あるいは理論空燃比を跨いでのリッチ側からリーン側への空燃比シフトにおいて、空燃比センサ１６の応答性の遅れを識別しその遅れを補正する。空燃比補正部１０４は、応答性補正部１０３が算出する応答性の補正量に応じて検出された空燃比を補正する。
【００４２】
平均空燃比算出部１０５は、補正後の空燃比の移動平均から平均空燃比を算出する。この平均空燃比は、燃料噴射制御等の各種制御において利用される。例えば、空燃比フィードバック制御によって、補正後の空燃比が、設定された目標空燃比に収束するように、各気筒の燃料噴射量が制御される。
【００４３】
図６は、本発明の一実施形態に従う、制御フローを示す図である。このフローは、ＥＵＣ１のＣＰＵによって、より具体的には図５の各機能ブロックによって、所定の時間間隔で実行される。
【００４４】
ステップＳ１１において、空燃比センサ１６から検出出力Ｉｐ（ｍＡ）を取得する。検出出力Ｉｐ（ｍＡ）はエンジンの気筒毎に取得する。ステップＳ１２において、排気ガス中の水素濃度Ｎａ（ｐｐｍ）を推定する。具体的には、排気ガス中の空燃比ＡＦと燃料性状（成分、密度、揮発性等）データから、予め作成されメモリに記憶されている水素ガス濃度推定マップを参照して排気ガス中の水素濃度Ｎａ_now（ｐｐｍ）を求める。図９に水素ガス濃度推定マップの一例を示す。図９から、燃料性状が悪くなる程かつ空燃比がリーンになる程、水素ガス濃度が低くなることがわかる。
【００４５】
なお、排気ガス中の空燃比ＡＦは１つ前の測定時に得られた空燃比ＡＦを利用する。また、燃料性状は、予めメモリに記憶してあるデータを利用する、あるいは適宜な手法、例えば特開平１１−２４１６４４号公報に開示される手法により推定することができる。
【００４６】
ステップＳ１３において、メモリから１つ前（前回）の測定時に得られた推定水素濃度Ｎａ_old（ｐｐｍ）を呼び出して取得する。ステップＳ１４において、前回の水素濃度Ｎａ_oldが今回の水素濃度Ｎａ_nowよりも大きいか否かを判定する。この判定がＮｏの場合、すなわち前回よりも今回の水素濃度が大きい場合、言い換えれば前回よりも今回のほうがリッチである場合は、ステップＳ１５に進む。ステップＳ１５において、空燃比センサ１６の酸素検出部に付着する水素濃度Ｎｂ（ｐｐｍ）を推定する。具体的には、今回の水素濃度Ｎａ_nowをそのまま付着水素濃度Ｎｂ（ｐｐｍ）とする（Ｎａ_now＝Ｎｂ）。この場合は、既に説明した図３および図４の（ｃ）または（Ｄ）のケースに該当するので、今回の水素濃度Ｎａ_nowをそのまま利用する。
【００４７】
ステップＳ１４の判定がＹｅｓの場合、すなわち今回よりも前回の水素濃度が大きい場合、言い換えれば今回よりも前回のほうがリッチである場合は、ステップＳ１６に進む。ステップＳ１６において、空燃比センサ１６の酸素検出部に付着する水素濃度Ｎｂ（ｐｐｍ）を推定する。この場合は、既に説明した図３および図４の（Ｂ）または（Ａ）のケースに該当するので、今回の水素濃度Ｎａ_nowをそのまま利用することなく、例えば、式（２）を用いた、所謂なまし計算により水素濃度Ｎｂ（ｐｐｍ）を算出する。係数αは例えば０．８である。
Ｎｂ＝（１−α）・Ｎａ_old ＋ α・Ｎａ_now        （２）
【００４８】
ステップＳ１７において、空燃比ＡＦを算出する。具体的には、図７で例示される空燃比センサ１６による検出出力Ｉｐ（ｍＡ）と空燃比ＡＦとの関係図（マップ）を参照して、ステップＳ１１において取得した検出出力Ｉｐに対応する空燃比ＡＦを求める。その際、ステップＳ１５において得られた水素濃度Ｎｂを利用する場合は、図７のグラフ（Ｉ）を用いて空燃比ＡＦを求める。例えば検出出力としてＩｐ１が取得されているとすると、図７に示されるようにＡＦ１が得られる。
【００４９】
ステップＳ１６において得られた水素濃度Ｎｂを利用する場合は、その水素濃度Ｎｂに対応するグラフを選択して空燃比ＡＦを求める。例えば、図７のグラフ（ＩＩ）が選択されたとすると、検出出力Ｉｐ１に対応する値としてＡＦ２が得られる。なお、図７では基準となるグラフ（Ｉ）の他に１つのグラフ（ＩＩ）しか示されていないが、実際には水素濃度Ｎｂに応じた複数のグラフ（マップ）がメモリに格納されており利用することができる。
【００５０】
図７のグラフは式（３）で表わされる関係式から得ることができる。
Ｉｐ＝Ｄ・Ｐ・Ｓ／（Ｔ・Ｌ）・ｌｎ−１（１−Ｐ０／Ｐ）・β        （３）
ここで、各パラメータの意味は以下の通りである。
Ｄ：拡散係数、Ｓ：空燃比センサ１６の酸素検出部の電極面積、
Ｐ：酸素検出部での全圧、Ｐ０：酸素検出部での酸素分圧、
Ｔ：温度、Ｌ：拡散距離、
β：水素濃度を反映した補正係数（β＝Ｎａ_now／Ｎａ_old）
【００５１】
図７の関係図（マップ）を用いて空燃比ＡＦを算出することにより、図８に例示されるように、リッチ側からリーン側への変化（Ａ―＞Ｂ、Ｃ―＞Ｄ、Ｅ―＞Ｆ）における空燃比センサ１６の応答遅れ、すなわちリッチ側へシストしていた出力信号Ｑをリーン側に戻して本来あるべき出力信号Ｐに近づける補正をおこなうことができる。このように、本発明の一実施形態によれば、空燃比センサでの水素濃度を推定した上で空燃比を算出することにより、リッチ側へシフトしていた空燃比センサの出力信号をリーン側に補正することができる。その結果、より確かな空燃比値を検出しながらその制御をおこなうことが可能となる。
【００５２】
最後にステップＳ１８において、平均空燃比ＡＦ_avを算出する。具体的には気筒毎の空燃比ＡＦから気筒間での平均空燃比ＡＦ_avを算出する。この平均空燃比ＡＦ_avは、上述したように燃料噴射制御等の各種制御において利用される。
【００５３】
以上、本発明の実施の形態について説明したが、本発明はこのような実施形態に限定されることはなく、本発明の趣旨を逸脱しない範囲において改変して用いることができる。また、本発明はガソリンエンジン、ディーゼルエンジンのいずれに対しても使用することができる。
【符号の説明】
【００５４】
１      電子制御ユニット（ECU）
２      エンジン
１６    空燃比センサ
【図１】
2011247093.tif 000003
【図２】
2011247093.tif 000004
【図３】
2011247093.tif 000005
【図４】
2011247093.tif 000006
【図５】
2011247093.tif 000007
【図６】
2011247093.tif 000008
【図７】
2011247093.tif 000009
【図８】
2011247093.tif 000010
【図９】
2011247093.tif 000011